(57)【要約】【課題】同一のカードを所有する複数のユーザに対し、各々の趣味趣向の違いに応じて異なる情報を配信することができる広告配信システムなどを提供する。【解決手段】携帯端末は、カードのカード識別情報を配信ＩＤとともに広告配信装置へ送信し、追加情報を配信ＩＤとともに広告配信装置へ送信し、広告配信装置から受信した広告情報を携帯端末の画面上に表示し、広告配信装置は、携帯端末から受信した配信ＩＤに受信したカード識別情報を対応付けて記憶装置に記憶し、携帯端末から受信した配信ＩＤに追加情報を対応付けて記憶装置に記憶し、広告情報が生じた場合に、広告情報に関連する１つ以上の追加情報及び／又は１つ以上のカード識別情報に対応付けて記憶されている配信ＩＤを記憶装置から読み出し、読み出した配信ＩＤにより特定される携帯端末に対して広告情報が存在することを通知する。【選択図】図１
2016118935.tif 000002
【特許請求の範囲】
【請求項１】
携帯端末と、前記携帯端末にネットワークを介して接続される広告配信装置と、を備えた広告配信システムであって、
前記携帯端末は、
カードの画像データを取得する手段と、
前記取得された画像データから得られるカード識別情報を配信ＩＤとともにネットワークを介して前記広告配信装置へ送信する手段と、
追加情報を前記配信ＩＤとともにネットワークを介して前記広告配信装置へ送信する手段と、
前記広告配信装置からネットワークを介して広告情報を受信し、前記受信した広告情報を前記携帯端末の画面上に表示する手段と、を備え、
前記広告配信装置は、
前記携帯端末からネットワークを介して配信ＩＤとカード識別情報とを受信し、前記受信した配信ＩＤに前記受信したカード識別情報を対応付けて記憶装置に記憶する手段と、
前記携帯端末からネットワークを介して配信ＩＤと追加情報とを受信し、前記受信した配信ＩＤに前記受信した追加情報を対応付けて前記記憶装置に記憶する手段と、
広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、を備える、
ことを特徴とする広告配信システム。
【請求項２】
前記携帯端末は、一のカードの画像データを取得し当該画像データから得られるカード識別情報を配信ＩＤとともにネットワークを介して前記広告配信装置に対して送信した後、他のカードの画像データを取得し当該画像データから得られるカード識別情報を配信ＩＤとともにネットワークを介して前記広告配信装置に対して送信し、
前記広告配信装置は、前記携帯端末からネットワークを介して配信ＩＤと他のカード識別情報とを受信し、前記受信した配信ＩＤに前記受信した他のカード識別情報を対応付けて前記記憶装置に記憶する、
ことを特徴とする請求項１に記載の広告配信システム。
【請求項３】
カードの画像データを取得する手段と、前記取得された画像データから得られるカード識別情報を配信ＩＤとともにネットワークを介して送信する手段と、追加情報を前記配信ＩＤとともにネットワークを介して送信する手段と、ネットワークを介して広告情報を受信し、前記受信した広告情報を画面上に表示する手段と、を備える携帯端末にネットワークを介して接続され、
前記携帯端末からネットワークを介して配信ＩＤとカード識別情報とを受信し、前記受信した配信ＩＤに前記受信したカード識別情報を対応付けて記憶装置に記憶する手段と、
前記携帯端末からネットワークを介して配信ＩＤと追加情報とを受信し、前記受信した配信ＩＤに前記受信した追加情報を対応付けて前記記憶装置に記憶する手段と、
広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、
を備えることを特徴とする広告配信装置。
【請求項４】
前記携帯端末からネットワークを介して配信ＩＤと他のカード識別情報とを受信し、前記受信した配信ＩＤに前記受信した他のカード識別情報を対応付けて前記記憶装置に記憶することを特徴とする請求項３に記載の広告配信装置。
【請求項５】
ネットワークを介して配信ＩＤとカード識別情報とを受信し、前記受信した配信ＩＤに前記受信したカード識別情報を対応付けて記憶装置に記憶する手段と、ネットワークを介して配信ＩＤと追加情報とを受信し、前記受信した配信ＩＤに前記受信した追加情報を対応付けて前記記憶装置に記憶する手段と、広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、を備える広告配信装置にネットワークを介して接続され、
カードの画像データを取得する手段と、
前記取得された画像データから得られるカード識別情報を配信ＩＤとともにネットワークを介して前記広告配信装置へ送信する手段と、
追加情報を前記配信ＩＤとともにネットワークを介して前記広告配信装置へ送信する手段と、
前記広告配信装置からネットワークを介して広告情報を受信し、前記受信した広告情報を前記携帯端末の画面上に表示する手段と、
を備えることを特徴とする携帯端末。
【請求項６】
一のカードの画像データを取得し当該画像データから得られるカード識別情報を配信ＩＤとともにネットワークを介して前記広告配信装置に対して送信した後、他のカードの画像データを取得し当該画像データから得られるカード識別情報を配信ＩＤとともにネットワークを介して前記広告配信装置に対して送信することを特徴とする請求項５に記載の携帯端末。
【発明の詳細な説明】
【技術分野】
【０００１】
広告配信システム、広告配信装置、及び携帯端末に関する。
【背景技術】
【０００２】
従来、カードの所有者に対して、カードの画像に応じた情報を配信する情報提供システムが提案された（特許文献１参照）。
【先行技術文献】
【特許文献】
【０００３】
【特許文献１】特開２０１３−２３２１６３号公報
【発明の概要】
【発明が解決しようとする課題】
【０００４】
しかしながら、上記従来の情報提供システムには、同一のカードを所有する複数のユーザに対して同一の情報しか配信することができないという問題があった。
【０００５】
そこで、本発明は、同一のカードを所有する複数のユーザに対し、各々の趣味趣向の違いに応じて異なる情報を配信することができる広告配信システム、広告配信装置、及び携帯端末を提供することを目的とする。
【課題を解決するための手段】
【０００６】
上記課題は、例えば、次の手段により解決される。
【０００７】
携帯端末と、前記携帯端末にネットワークを介して接続される広告配信装置と、を備えた広告配信システムであって、前記携帯端末は、カードの画像データを取得する手段と、前記取得された画像データから得られるカード識別情報を配信ＩＤとともにネットワークを介して前記広告配信装置へ送信する手段と、追加情報を前記配信ＩＤとともにネットワークを介して前記広告配信装置へ送信する手段と、前記広告配信装置からネットワークを介して広告情報を受信し、前記受信した広告情報を前記携帯端末の画面上に表示する手段と、を備え、前記広告配信装置は、前記携帯端末からネットワークを介して配信ＩＤとカード識別情報とを受信し、前記受信した配信ＩＤに前記受信したカード識別情報を対応付けて記憶装置に記憶する手段と、前記携帯端末からネットワークを介して配信ＩＤと追加情報とを受信し、前記受信した配信ＩＤに前記受信した追加情報を対応付けて前記記憶装置に記憶する手段と、広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、を備える、ことを特徴とする広告配信システム。
【０００８】
カードの画像データを取得する手段と、前記取得された画像データから得られるカード識別情報を配信ＩＤとともにネットワークを介して送信する手段と、追加情報を前記配信ＩＤとともにネットワークを介して送信する手段と、ネットワークを介して広告情報を受信し、前記受信した広告情報を画面上に表示する手段と、を備える携帯端末にネットワークを介して接続され、前記携帯端末からネットワークを介して配信ＩＤとカード識別情報とを受信し、前記受信した配信ＩＤに前記受信したカード識別情報を対応付けて記憶装置に記憶する手段と、前記携帯端末からネットワークを介して配信ＩＤと追加情報とを受信し、前記受信した配信ＩＤに前記受信した追加情報を対応付けて前記記憶装置に記憶する手段と、広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、を備えることを特徴とする広告配信装置。
【０００９】
ネットワークを介して配信ＩＤとカード識別情報とを受信し、前記受信した配信ＩＤに前記受信したカード識別情報を対応付けて記憶装置に記憶する手段と、ネットワークを介して配信ＩＤと追加情報とを受信し、前記受信した配信ＩＤに前記受信した追加情報を対応付けて前記記憶装置に記憶する手段と、広告情報が生じた場合に、前記広告情報に関連する１つ以上の追加情報及び／又は１つ以上のカード識別情報に対応付けて記憶されている配信ＩＤを前記記憶装置から読み出し、前記読み出した配信ＩＤにより特定される携帯端末に対して広告情報が存在することを通知する手段と、を備える広告配信装置にネットワークを介して接続され、カードの画像データを取得する手段と、前記取得された画像データから得られるカード識別情報を配信ＩＤとともにネットワークを介して前記広告配信装置へ送信する手段と、追加情報を前記配信ＩＤとともにネットワークを介して前記広告配信装置へ送信する手段と、前記広告配信装置からネットワークを介して広告情報を受信し、前記受信した広告情報を前記携帯端末の画面上に表示する手段と、を備えることを特徴とする携帯端末。
【発明の効果】
【００１０】
本発明によれば、同一のカードを所有する複数のユーザに対し、各々の趣味趣向の違いに応じて異なる情報を配信することができる。したがって、カードの所有者を対象にして広告効果に優れた広告配信を行うことができる。
【図面の簡単な説明】
【００１１】
【図１】実施形態１に係る広告配信システムの模式的構成図である。
【図２】実施形態１に係る携帯端末の模式的構成図である。
【図３】実施形態１に係る広告配信装置の模式的構成図である。
【図４】配信ＩＤ、カード識別情報、及び追加情報の記憶例を示す模式図である。
【図５】実施形態１に係る広告配信システムの動作例を示すシーケンス図である。
【発明を実施するための形態】
【００１２】
［広告配信システム］
図１は実施形態１に係る広告配信システムの模式的構成図である。図１に示すように、実施形態１に係る広告配信システムは、カード５０の所有者により操作されるスマートフォンなどの携帯端末１０と、携帯端末１０にインターネットなどのネットワーク３０を介して接続されるサーバコンピュータなどの広告配信装置２０と、を備えた広告配信システムである。以下、詳細に説明する。
【００１３】
（携帯端末１０）
図２は実施形態１に係る携帯端末の模式的構成図である。図２に示すように、携帯端末１０は、例えば、ＣＰＵ１１、ＲＡＭ１２、及びハードディスクやＳＳＤ（Ｓｏｌｉｄ  Ｓｔａｔｅ  Ｄｒｉｖｅ）などの記憶装置１３を備えている。携帯端末１０は、これらハードウェアが連携して動作することにより動作し、より具体的には、携帯端末１０の記憶装置１３に記憶されているこれらハードウェアを連携して動作させるためのプログラムを携帯端末１０のＣＰＵ１１が実行することにより動作する。なお、プログラムは、例えば、プログラムを配信するサーバコンピュータ４０などからネットワーク３０を介して携帯端末１０にダウンロードされる。
【００１４】
（広告配信装置２０）
図３は実施形態１に係る広告配信装置の模式的構成図である。図３に示すように、広告配信装置２０は、例えば、ＣＰＵ２１、ＲＡＭ２２、及びハードディスクやＳＳＤ（Ｓｏｌｉｄ  Ｓｔａｔｅ  Ｄｒｉｖｅ）などの記憶装置２３を備えている。広告配信装置２０は、これらハードウェアが連携して動作することにより動作し、より具体的には、広告配信装置２０の記憶装置２３に記憶されているこれらハードウェアを連携して動作させるためのプログラムを広告配信装置２０のＣＰＵ２１が実行することにより動作する。
【００１５】
（テーブル）
図４は配信ＩＤ、カード識別情報、及び追加情報の記憶例を示す模式図である。図４に示すように、広告配信装置２０は、配信ＩＤ、カード識別情報、及び追加情報を、例えばテーブル形式で広告配信装置２０の記憶装置２３内に記憶することができる。このようにすれば、同一のレコードの異なるフィールドに配信ＩＤ、カード識別情報、及び追加情報をそれぞれ格納することにより、配信ＩＤに対してカード識別情報及び追加情報を容易に対応付けて記憶することができる。なお、図４に示すように、一の配信ＩＤに対しては、複数のカード識別情報（例：カード識別情報１、カード識別情報２）と複数の追加情報（例：追加情報１、追加情報２、追加情報３）を対応付けて記憶することができる。
【００１６】
［広告配信システムの動作］
図５は実施形態１に係る広告配信システムの動作例を示すシーケンス図である。以下、図５を参照しつつ、実施形態１に係る広告配信システムの動作例について説明する。
【００１７】
（ステップ１）
まず、携帯端末１０が、カード５０の画像データを取得する（ステップ１）。カード５０とは、各種の情報が印刷された手のひらサイズの各種媒体をいい、具体的には、各種のカード（例：映画館の会員カード、レンタルビデオ店の会員カード、スーパーマーケットの会員カード、交通機関の定期券、電子マネーの決済に使用するカード、クレージットカード、会員登録を必要としないプリペイドカード、ポイントカード、名刺）などがカードの一例となる。カード５０の材質は特に限定されない。また、画像データとは、カード５０の全体または一部を表示するデータ（例：Ｂｉｔｍａｐ、ＪＰＥＧ）である。画像データは、例えば、携帯端末に設けられたカメラなどにより取得（撮影）され、携帯端末１０が有するＲＡＭ１２や記憶装置１３に記憶される。
【００１８】
（ステップ２）
次に、携帯端末１０が、取得された画像データから得られるカード識別情報を配信ＩＤとともにネットワーク３０を介して広告配信装置２０へ送信する（ステップ２）。カード識別情報とは、カード５０の画像データから得られるカード５０を識別することができるデータであり、例えば、画像データそのものや画像データから所定のアルゴリズムに基づいて算出される数値などがカード識別情報の一例となる。
【００１９】
配信ＩＤは、ユーザを識別するデータであり、具体的には、携帯端末１０を識別する端末ＩＤ、携帯端末１０上で実行されるアプリを識別するアプリＩＤ、会員を識別する会員番号、あるいはカード５０を識別するカード番号（例：クレジットカード番号）などが配信ＩＤの一例となる。携帯端末１０は、配信ＩＤとして端末ＩＤやアプリＩＤを用いる場合、例えば、端末ＩＤやアプリＩＤを携帯端末１０のＲＡＭ１２や記憶装置１３から読み出し、読み出した端末ＩＤやアプリＩＤをカード識別情報とともにネットワーク３０を介して広告配信装置２０へ送信する。また、携帯端末１０は、配信ＩＤとして会員番号やカード番号を用いる場合、例えば、会員番号やカード番号を携帯端末１０のＲＡＭ１２や記憶装置１３から読み出し、あるいは携帯端末１０のユーザに会員番号やカード番号の入力を求め、読み出されたあるいは入力された会員番号やカード番号をカード識別情報とともにネットワーク３０を介して広告配信装置２０へ送信する。
【００２０】
（ステップ３）
次に、広告配信装置２０が、携帯端末１０からネットワーク３０を介して配信ＩＤとカード識別情報とを受信し、受信した配信ＩＤに受信したカード識別情報を対応付けて記憶装置２３に記憶する（ステップ３−１）。具体的には、広告配信装置２０が、例えば、記憶装置２３に記憶しているテーブルにおいて新たなレコードを作成し、あるいは、記憶装置２３に記憶しているテーブルにおいて未使用のレコードを選択し、作成あるいは選択したレコードの異なるフィールドに受信した配信ＩＤと受信したカード識別情報とをそれぞれ格納する。
【００２１】
広告配信装置２０は、携帯端末１０からネットワーク３０を介して配信ＩＤとカード識別情報とを受信した後、例えば、カード識別情報により識別されるカード５０に対応した広告情報をネットワーク３０を介して携帯端末１０に送信してもよい（ステップ３−２）。このようにすれば、カード識別情報の送信と引き換えにこれにより識別されるカード５０に関連した情報をユーザに提供することができるため、カード識別情報を広告配信装置２０に対して送信するインセンティブをユーザに与えることができる。
【００２２】
（ステップ４）
次に、携帯端末１０が、追加情報を配信ＩＤとともにネットワーク３０を介して広告配信装置２０へ送信する（ステップ４）。追加情報とは、カード識別情報が広告配信装置２０へ送信された後に、携帯端末１０の動作に応じて広告配信装置２０へ送信される情報であり、具体的には、広告配信装置２０から配信された広告情報が携帯端末１０の画面上に表示されたことを示す情報、携帯端末１０の画面上に表示された広告情報のリンク先のサイトから商品・サービスが購入されたことを示す情報、及び／又は携帯端末１０に入力される各種の情報（例：カード番号、カード５０の配布会社により割り当てられた会員番号、ユーザの氏名、住所、電話番号、電子メールアドレスなどのユーザの連絡先）である。追加情報は、例えば、携帯端末１０の動作ごとに定めることができる。追加情報は、例えば、携帯端末１０が所定の動作（例：広告配信装置２０から配信された広告情報が携帯端末１０の画面上に表示される、携帯端末１０の画面上に表示された広告情報のリンク先のサイトから商品・サービスが購入される、携帯端末１０に各種の情報が入力される。）が行われるたびに、携帯端末１０から配信ＩＤとともにネットワーク３０を介して広告配信装置２０へ送信される。
【００２３】
（ステップ５）
次に、広告配信装置２０が、携帯端末１０からネットワーク３０を介して配信ＩＤと追加情報とを受信し、受信した配信ＩＤに受信した追加情報を対応付けて記憶装置２３に記憶する（ステップ５）。具体的には、広告配信装置２０が、例えば、記憶装置２３に記憶しているテーブルの中から、受信した配信ＩＤが格納されているレコードを特定し、特定したレコードの配信ＩＤが格納されているフィールドとは異なるフィールドに受信した追加情報を格納する。追加情報は携帯端末１０の動作により定まる情報であるため、ユーザ（配信ＩＤ）ごとに異なり得る。したがって、同一のカード５０を所有するユーザであるため一のカード識別情報だけでは区別することができないユーザであっても、追加情報を用いれば区別することができるようになる。
【００２４】
（ステップ６）
次に、広告配信装置２０が、広告情報が生じた場合に、広告情報に関連する１つ以上の追加情報及び／又は１つ以上のカード識別情報に対応付けて記憶されている配信ＩＤを記憶装置２３から読み出し、読み出した配信ＩＤにより特定される携帯端末１０に対して広告情報が存在することを通知する（ステップ６−１）。追加情報は携帯端末１０の過去の動作に関連した情報であるため、追加情報に関連する広告情報は携帯端末１０の過去の動作に関連した情報となる。また、カード識別情報はカード５０を識別する情報であるため、カード識別情報に関連する広告情報はカード５０に関連した情報になる。したがって、個々の広告情報の存在は、個々の広告情報に関連する動作を過去に行ったことがあるユーザや個々の広告情報に関連するカード５０を所有しているユーザに対して通知されることになる。
【００２５】
広告情報が生じた場合とは、例えば、広告配信装置２０に対して新たな広告が入稿（入力）された場合や広告配信装置２０の記憶装置２３にあらかじめ記憶されている広告情報について所定の配信時期（例：毎朝７時、毎日曜日の午前１２時、毎月１日の午後１２時）が到来した場合などである。また、広告情報に関連する追加情報やカード識別情報は、例えば、広告情報の配信を希望する広告主や広告配信装置の管理者等により指定され、広告配信装置２０に設定される。１つの広告情報には、１つ以上の追加情報及び／又は１つ以上のカード識別情報が関連付けられる。
【００２６】
広告情報に関連する１つ以上の追加情報及び／又は１つ以上のカード識別情報に対応付けて記憶されている配信ＩＤとは、例えば、配信ＩＤ、カード識別情報、及び追加情報がテーブル形式で記憶される場合は（図４参照）、広告情報に関連する１つ以上の追加情報及び／又は１つ以上のカード識別情報が格納されているレコードに格納されている配信ＩＤである。
【００２７】
広告配信装置２０は、広告情報が存在することを通知（ステップ６−１）した後に、携帯端末１０からの配信要求（ステップ６−２）を受信することを条件に広告情報を配信（ステップ６−３）してもよいし、広告情報が存在することの通知と広告情報の配信を同時に行ってもよい（ステップ６−１により通知と配信を行う）。広告情報が存在することの通知と広告情報の配信を同時に行う場合は、広告情報が存在することの通知と広告情報の配信とを分けることなく、例えば、広告情報の配信をもって広告情報が存在することの通知とすることもできる。
【００２８】
（ステップ７）
次に、携帯端末１０が、広告配信装置２０からネットワーク３０を介して広告情報を受信し、受信した広告情報を携帯端末１０の画面上に表示する（ステップ７）。なお、広告情報の存在があらかじめ通知され、その後、携帯端末１０からの配信要求に応じて広告情報が配信される構成をとる場合、携帯端末１０は、当該通知を、例えば携帯端末１０の画面上に表示し、その後、広告配信装置２０に対して広告情報の配信要求を送信する。この場合、携帯端末１０は、受信した広告情報を携帯端末１０の画面上に表示した後、携帯端末１０の画面上に表示していた通知を消去してもよい。
【００２９】
以上のとおり、実施形態１に係る広告配信システムによれば、カード５０のユーザが当該カード５０のカード識別情報を広告配信装置２０へ送信することを契機にして、同一のカード５０を所有する複数のユーザに対し、各々の趣味趣向の違いに応じた異なる情報を配信することが可能になる。したがって、カード５０の所有者を対象にして広告効果に優れた広告配信を行うことができる。
【００３０】
なお、携帯端末１０は、例えば、一のカード５０の画像データを取得し当該画像データから得られるカード５０のカード識別情報を配信ＩＤとともにネットワーク３０を介して広告配信装置２０に対して送信した後、他のカード６０の画像データを取得し当該画像データから得られるカード６０のカード識別情報を配信ＩＤとともにネットワーク３０を介して広告配信装置２０に対して送信してもよい。この場合、広告配信装置２０は、携帯端末１０からネットワーク３０を介して配信ＩＤと他のカード識別情報とを受信し、受信した配信ＩＤに受信した他のカード識別情報を対応付けて記憶装置２３に記憶する。このようにすれば、一のカード５０のカード識別情報と他のカード６０のカード識別情報とが一の配信ＩＤに対応付けて記憶されるようになるため、一のカード５０（例：映画の会員カード）と他のカード６０（例：旅行会社の会員カード）を所有するユーザに対して、より広告効果が高い広告情報（例：最近公開された映画のロケ地に関する旅行ツアー）を配信することができる。なお、一のカード５０のカード識別情報と他のカード６０のカード識別情報とが一の配信ＩＤに対して対応付けて記憶される場合、追加情報は、一のカード５０のカード識別情報と他のカード６０のカード識別情報と一の配信ＩＤとに対応付けて記憶される。
【００３１】
以上、実施形態について説明したが、これらの説明は一例に関するものであり、特許請求の範囲に記載された構成を何ら限定するものではない。
【符号の説明】
【００３２】
１０    携帯端末
１１    ＣＰＵ
１２    ＲＡＭ
１３    記憶装置
２０    広告配信装置
２１    ＣＰＵ
２２    ＲＡＭ
２３    記憶装置
３０    ネットワーク
４０    プログラムを配信するサーバコンピュータ
５０    カード
６０    カード
【図１】
2016118935.tif 000003
【図２】
2016118935.tif 000004
【図３】
2016118935.tif 000005
【図４】
2016118935.tif 000006
【図５】
2016118935.tif 000007